(57)【要約】【課題】山岳、丘等の法面の傾斜角度に沿って自由に変形可能にし、作業者の昇降のみならず、工事に必要な部材や機械の搬送、諸作業を機械的に行えるようにする。【解決手段】固定の下部フロア７と可動のスライドステージ９とを備えた矩形の下部枠体Ｍと、固定の上部フロア８を備えた矩形の上部枠体Ｎと、下部枠体Ｍと上部枠体Ｎのコーナに上下端を回転自在に枢着して起立した四本の支柱３，４，５，６と、隣接する支柱３，５の間及び支柱４，５の間に設けた伸縮自在なブレス１０，１１と、上部フロア８と下部フライドステージ９との間に端部を回転自在に枢着した階段１０とからなる。【選択図】        図５
2004251094.tif 000002
【特許請求の範囲】
【請求項１】
固定の下部フロア７と可動のスライドステージ９とを備えた矩形の下部枠体Ｍと、固定の上部フロア８を備えた矩形の上部枠体Ｎと、下部枠体Ｍと上部枠体Ｎのコーナに上下端を回転自在に枢着して起立した四本の支柱３，４，５，６と、隣接する支柱３，５の間及び支柱４，６の間に設けた伸縮自在なブレス１１，１２と、上部フロア８と下部フライドステージ９との間に端部を回転自在に枢着した階段１０とからなる昇降装置
【請求項２】
左右一対の下部フレーム１ａ、１ｂと、各下部フレーム１ａ，１ｂの前側端部に枢着されて起立する左右一対の前側支柱３，４と、同じく各下部フレーム１ａ、１ｂの後側端部に枢着されて起立する左右一対の後側支柱５，６と、各前後側支柱３，５と各前後側支柱４，６の上部間に回転自在に枢着された左右一対の上部フレーム２ａ、２ｂと、各下部フレーム１ａ、１ｂ間に取付けた平面Ｔ字状の下部フロア７と、各上部フレーム２ａ、２ｂ間に取付けられた開口部を有する上部フロア８と、右側前後の支柱３，５間と左側前後の支柱４，６間とにそれぞれ枢着した長さ調整自在なブレス１１、１２と、一方の下部フレーム１ａと下部フロア７との間に前後方向スライド自在に取付けたスライドステージ９と、スライドステージ９と上記上部フロア８の開口部近傍との間に上下端を枢着して架設した階段１０とからなることを特徴とする昇降装置
【請求項３】
スライドステージ９がフロア９ａと、フロア９ａから起立する手摺９ｂ、９ｃと、フロア９ａの左右両側に設けローラ１３，１３とからなり、各ローラ１３，１３を下部フレーム１ａと下部フロア７に形成した溝レール１４，１５内にスライド自在に嵌合させている請求項２に記載の昇降装置
【請求項４】
階段が左右一対の桁材１０ａ、１０ｂと、各桁材１０ａ、１０ｂ間に回転自在に枢着した複数のステップ１０ｃと、各桁材１０ａ、１０ｂの一方又は両方に基端を枢着して起立させた手摺１０ｄとからなり、各桁材１０ａ、１０ｂの上端を上部フロア８に枢着し、下端をスライドステージ９のフロア９ａの両側にそれぞれ枢着させている請求項２又は３に記載の昇降装置
【請求項５】
下部フロア７と上部フロア８とが前後方向に延びる足場板７ａ、８ａと左右方向に延びる足場板７ｂ、８ｂとで平面Ｔ字状に形成されて当該左右方向に延びる足場板７ｂ、８ｂの右側に開口部Ｓを形成し、階段を上記開口部Ｓに対応して配置させている請求項２、３又は４に記載の昇降装置
【請求項６】
単一の折り畳み自在な昇降装置Ａを上方に向けて複数段着脱自在に結合させてなり、各単一の昇降装置Ａは固定の下部フロア７と可動のスライドステージ９とを備えた矩形の下部枠体Ｍと、固定の上部フロア８を備えた矩形の上部枠体Ｎと下部枠体Ｍと上部枠体Ｎのコーナに上下端を回転自在に枢着して起立した四本の支柱３、４、５、６と、隣接する支柱３、５の間及び支柱４、６の間に設けた伸縮自在なブレス１１、１２と、上部フロア８と下部スライドステージ９との間に端部を回転自在に枢着した階段１０とからなり、上段側昇降装置Ａの各支柱４、５、６、７の下部を下段側昇降装置Ａの各支柱４、５、６、７の上端に着脱自在に枢着させている昇降タワー
【請求項７】
単一の折り畳み自在な昇降装置を上方に向けて複数段着脱自在に結合させてなり、各単一の昇降装置Ａは左右一対の下部フレーム１ａ、１ｂと、各下部フレーム１ａ、１ｂの前側端部に枢着されて起立する左右一対の前側支柱３、４と、同じく各下部フレーム１ａ、１ｂの後側端部に枢着されて起立する左右一対の後側支柱５、６と、各前後側支柱３、５と各前後側支柱４、６の上部間に回転自在に枢着された左右一対の上部フレーム２ａ、２ｂと、各下部フレーム１ａ、１ｂ間に取付けた平面Ｔ字状の下部フロア７と、各上部フレーム２ａ、２ｂ間に取付けられ開口部を有する上部フロア８と、右側前後の支柱３、５間と左側前後の支柱４、６の間とにそれぞれ枢着した長さ調整自在なブレス１１、１２と、一方の下部フレーム１ａと下部フロア７との間に前後方向スライド自在に取付けたスライドステージ９と、スライドステージ９と上部フロア８の開口部近傍との間に上下端を枢着して架設した階段１０とからなり、下段側昇降装置Ａの前側支柱の上端３、４と後側支柱５、６の上端にそれぞれ上段側昇降装置Ａの前側支柱３、４の下部と後側支柱５、６の下部を着脱自在に枢着させていることを特徴とする昇降タワー
【請求項８】
左右一対の折り畳み自在な昇降タワーＢ１、Ｂ２と、左側昇降タワーＢ１の右側面部と右側昇降タワーＢ２の左側面部とにそれぞれ結合した昇降レールＣ１、Ｃ２と、各昇降レールＣ１、Ｃ２にローラＲ、Ｒを介して昇降自在に結合した昇降用作業構台Ｄと、作業構台Ｄを昇降駆動する巻上装置Ｅとからなる搬送装置
【請求項９】
昇降タワーＢ１、Ｂ２が単一の折り畳み自在な昇降装置Ａを上方に向けて複数段着脱自在に結合させて構成され、各単一の昇降装置Ａは固定の下部フロア７と可動のスライドステージ９とを備えた矩形の下部枠体Ｍと、固定の上部フロア８を備えた矩形の上部枠体Ｎと、下部枠体Ｍと上部枠体Ｎのコーナに上下端を回転自在に枢着して起立した四本の支柱３、４、５、６と、隣接する支柱３、５の間及び支柱４、６の間に設けた伸縮自在なブレス１１、１２と、上部フロア８と下部スライドステージ９との間に端部を回転自在に枢着した階段とから構成されている請求項９に記載の搬送装置
【請求項１０】
昇降レールＣ１、Ｃ２が前後一対のガイドレール２０、２１からなり、作業構台Ｄが平行四辺形状の折り畳み自在な昇降フレーム２２と、昇降フレーム２２に結合した作業足場２６及び手摺２７とからなり、昇降フレーム２２と巻上装置Ｅとの間にワイヤ２９が架設されている請求項９に記載の搬送装置
【請求項１１】
前側と後側の各コーナ部に相対向して起立する四本の支柱４０、４１、４２、４３と、前側の支柱４０、４３間と後側支柱４１、４２間にそれぞれ着脱自在に架設した水平な前後の補強材４９、５０と、前側支柱４０、４３の上部と後側支柱４１、４２の上部との間に着脱自在に架設した水平な左右の補強部材５１、５２と、前側の支柱４０、４３と後側の支柱４１、４２との間にそれぞれ架設した斜めのブレス５９、５９と、前後の支柱４０、４１間と前後の支柱４３、４２間とにそれぞれ着脱自在に架設した斜めのブレス５５、５５と、上記左右の補強材５１、５２間に着脱自在に架設した足場板４４、４５、４６Ａ〜４６Ｃと、上記足場板４６Ｃの側部に下方に向けて着脱自在に取付けた階段とからなる昇降装置
【請求項１２】
前後の各支柱４０、４１、４２、４３が軸方向に沿って複数のフランジＦを備え、このフランジＦを介して各補強材４９、５０の端部が着脱自在に結合されている請求項１１の昇降装置
【請求項１３】
足場板４６Ａ〜４６Ｃが前後一対の足場板受け材５２Ａ、５２Ｂに着脱自在に結合され、上記足場板受け材５２Ａ、５２Ｂの両端部が左右の補強材５１、５２に着脱自在に結合され、更に上記一方の足場板受け材５２Ｂに足場板４６Ｃに隣接しながら階段の上端部を着脱自在に結合している請求項１１又は１２の昇降装置
【請求項１４】
後側支柱４１、４２に後方に向けてブラケット７０と杭７１を着脱自在に取付け、ブラケット７０上にはね出し足場板を着脱自在に取付けている請求項１１、１２又は１３の昇降装置
【請求項１５】
単一の昇降装置Ｔがコーナ部の支柱４０、４１、４２、４３を介して上方に複数段着脱自在に結合され、各単一の昇降装置Ｔは前側と後側の各コーナ部に相対向して起立する四本の支柱４０、４１、４２、４３と、前側の支柱４０、４３と後側支柱４１、４２間にそれぞれ着脱自在に架設した水平な前後の補強材４９、５０と、前側支柱４０、４３の上部と後側支柱４１、４２の上部との間に着脱自在に架設した水平な左右の補強部材５１、５２と、前側の支柱４０、４３と後側の支柱４１、４２との間にそれぞれ架設した斜めのブレス５９、５９と、前後の支柱４０、４１間と前後の支柱４３、４２間とにそれぞれ着脱自在に架設した斜めのブレス５５、５５と、上記左右の補強材５１、５２間に着脱自在に架設した足場板４４、４５、４６Ａ〜４６Ｃと、上記足場板４６Ｃの側部に下方に向けて着脱自在に取付けた階段とからなる昇降装置。
【請求項１６】
単一の昇降装置Ｔが左右二組配置され、各昇降装置Ｔ、Ｔ間に渡り足場板５７、５８、５９が着脱自在に架設され、各昇降装置が前側と後側の各コーナ部に相対向して起立する四本の支柱４０、４１、４２、４３と、前側の支柱４０、４３間と後側支柱４１、４２間にそれぞれ着脱自在に架設した水平な前後の補強材４９、５０と、前側支柱４０、４３の上部と後側支柱４１、４２の上部との間に着脱自在に架設した水平な左右の補強材５１、５２と、前側の支柱４０、４３と後側の支柱４１、４２との間にそれぞれ架設した斜めのブレス５９、５９と、前後の支柱４０、４１間と前後の支柱４３、４２間にそれぞれ着脱自在に架設した斜めのブレス５５、５５と、上記左右の補強材５１、５２間に着脱自在に架設した足場板４４、４５、４６Ａ〜４６Ｃと、上記足場板４６Ｃの側部に下方に向けて着脱自在に取付けた階段とからなる昇降装置
【発明の詳細な説明】
【０００１】
【発明の属する技術分野】
本発明は、山岳、丘等の法面における土木工事の使用に適する昇降装置及びこれを利用した昇降タワー、搬送装置に関する。
【０００２】
【従来の技術】
一般に、山岳、丘の法面においては砂防用のパネルを多数配置したり、網を展設したり、あるいはコンクリートブロックを組込んで砂、岩の流出や落下を防止している。
【０００３】
例えば、法面にパネルを固定する場合には、あらかじめ法面に対してボーリングして孔を形成し、ついでこの孔に対抗してパネルを置き、次いでこのパネルを貫通して孔内にアンカーボルトを打ち込むことによりパネルを固定している。
【０００４】
上記の砂防工事では法面上に足場を組付け、パネル、掘削機、アンカーボルト等をクレーンでこの足場まで搬送し、この足場で上記のような諸作業を行っている。
【０００５】
他方、上記のような土木工事を行う為に作業者が法面上を昇降できるようにした折り畳み式の階段として特許文献１に示すものが開発されている。
【０００６】
この階段は、複数のステップと各ステップに枢着した多数の連結バーとで構成され、法面の傾斜角度に対応して全体を屈曲させることにより法面に沿ってこの階段を利用して作業者が昇降できるようになっている。
【０００７】
【特許文献１】
実公平７−３５９９９号公報（第１図）
【０００８】
【発明が解決しようとする課題】
上記のように法面上に足場を築く場合、工事位置が法面上方に移動する場合には、その都度上方に足場を盛替える必要があり、諸作業に加えてこの足場までクレーンによる盛替え作業が加わると作業が面倒で困難であり、コストも嵩む不具合がある。
【０００９】
更に上記のような折り畳み式の階段は法面に沿って自由に作業者が昇降できる反面、工事に必要な部材、機械は依然としてクレーンを使用して搬送し、又上記のように足場も順次盛替える必要があり、作業性、経済性に劣るものである。
【００１０】
そこで、本発明の目的は、山岳、丘等の法面の傾斜角度に沿って任意に変形可能であり、作業者の昇降のみならず、工事に必要な部材や機械の搬送、諸作業にも使用可能な昇降装置及びこれを利用した昇降タワー、搬送装置を提供することである。
【００１１】
【課題を解決するための手段】
上記目的を達成するため、本発明の昇降装置は固定の下部フロア７と可動のスライドステージ９とを備えた矩形の下部枠体Ｍと、固定の上部フロア８を備えた矩形の上部枠体Ｎと、下部枠体Ｍと上部枠体Ｎのコーナに上下端を回転自在に枢着して起立した四本の支柱３、４、５、６と、隣接する支柱３、５の間及び支柱４、６の間に設けた伸縮自在なブレス１１、１２と、上部フロア８と下部スライドステージ９との間に端部を回転自在に枢着した階段１０とからなることを特徴とするものである。
【００１２】
同じく、より具体的な昇降装置Ａは、左右一対の下部フレーム１ａ、１ｂと、各下部フレーム１ａ、１ｂの前側端部に枢着されて起立する左右一対の前側支柱３、４と、同じく下部フレーム１ａ、１ｂの後側端部に枢着されて起立する左右一対の後側支柱５、６と、各前後側支柱３、５と各前後側支柱４、６の上部間に回転自在に枢着された左右一対の上部フレーム２ａ、２ｂと、各下部フレーム２ａ、２ｂ間に取付けられた開口部を有する上部フロア８と、右側前後の支柱３、５間と左側前後の支柱４、６間とにそれぞれ枢着した長さ調整自在なブレス１１、１２と、一方の下部フレーム１ａと下部フロア７との間に前後方向スライド自在に取付けたスライドステージ９と、スライドステージ９と上記フロア８の開口部近傍との間に上下端を枢着して架設した階段１０とからなることを特徴とするものである。
【００１３】
この場合、スライドステージ９がフロア９ａから起立する手摺９ｂ、９ｃと、フロア９ａの左右両側に設けローラ１３、１３とからなり、各ローラ１３、１３を下部フレーム１ａと下部フロア７に形成した溝レール１４、１５内にスライド自在に嵌合させているのが好ましい。
【００１４】
同じく、階段が左右一対の桁材１０ａ、１０ｂと、各桁材１０ａ、１０ｂ間に回転自在に枢着した複数のステップ１０ｃと各桁材１０ａ、１０ｂの一方又は両方に基端を枢着して起立させた手摺１０ｄとからなり、各桁材１０ａ、１０ｂの上端を上部フロア８に枢着し、下端をスライドステージ９のフロア９ａの両側にそれぞれ枢着させているのが好ましい。
【００１５】
同じく、下部フロア７と上部フロア８とが前後方向に延びる足場板７ａ、８ａと左右方向に延びる足場板７ｂ、８ｂとで平面Ｔ字状に形成されて当該左右方向に延びる足場板７ｂ，８ｂの右側に開口部Ｓを形成し、階段を上記開口部Ｓに対応して配置させているのが好ましい。
【００１６】
同じく、上記の目的を達成するため、本発明の昇降タワーは、単一の折り畳み自在な昇降装置Ａを上方に向けて複数段着脱自在に結合させてなり、各単一の昇降装置Ａは固定の下部フロア７と可動のスライドステージ９とを備えた矩形の下部枠体Ｍと、固定の上部フロア８を備えた上部枠体Ｎと、下部枠体Ｍと上部枠体Ｎのコーナに上下端を回転自在に枢着して起立した四本の支柱３、４、５、６と、隣接する支柱３、５の間及び支柱４、６の間に設けた伸縮自在なブレス１１、１２と、上部フロア８と下部スライドステージ９との間に端部を回転自在に枢着した階段とからなり、上段側昇降装置Ａの各支柱４、５、６、７の下部を下段側昇降装置Ａの各支柱４、５、６、７の上端に着脱自在に枢着させていることを特徴とするものである。
【００１７】
同じく、より具体的な昇降タワーは単一の折り畳み自在な昇降装置を上方に向け複数段着脱自在に結合させてなり、各単一の昇降装置Ａは、左右一対の下部フレーム１ａ、１ｂと、各下部フレーム１ａ、１ｂの前側端部に枢着されて起立する左右一対の前側支柱３、４と、同じく各下部フレーム１ａ、１ｂの後側端部に枢着されて起立する左右一対の後側支柱５、６と、各前後側支柱３、５と各前後側支柱４、６の上部間に回転自在に枢着された左右一対の上部フレーム２ａ、２ｂと、各下部フレーム１ａ、１ｂ間に取付けた平面Ｔ字状の下部フロア７と、各上部フレーム２ａ、２ｂ間に取付けられ開口部を有する上部フロア８と、右側前後の支柱３、５間と左側前後の支柱４、６間とにそれぞれ枢着した長さ調整自在なブレス１１、１２と、一方の下部フレーム１ａと下部フロア７との間に前後方向スライド自在に取付けたスライドステージ９と、スライドステージ９と上部フロア８の開口部近傍との間に上下端を枢着して架設した階段１０とからなり、下段側昇降装置Ａの前側支柱３、４の上端と後側支柱５、６の上端にそれぞれ上段側昇降装置Ａの前側支柱３、４の下部と後側支柱５、６の下部を着脱自在に枢着させていることを特徴とするものである。
【００１８】
同じく、上記の目的を達成するため、本発明の搬送装置は、左右一対の折り畳み自在な昇降タワーＢ１、Ｂ２と、左側昇降タワーＢ１の右側面部と右側昇降タワーＢ２の左側面部とにそれぞれ結合した昇降レールＣ１、Ｃ２と、各昇降レールＣ１、Ｃ２にローラＲ、Ｒを介して昇降自在に結合した昇降用作業構台Ｄと、作業構台Ｄを昇降駆動する巻上装置Ｅとからなることを特徴とするものである。
【００１９】
この場合、昇降タワーＢ１、Ｂ２が単一の折り畳み自在な昇降装置Ａを上方に向けて複数段着脱自在に結合させて構成され、各単一の昇降装置Ａは固定の下部フロア７と可動のスライドステージ９とを備えた矩形の下部枠体Ｍと、固定の上部フロア８を備えた矩形の上部枠体Ｎと、下部枠体Ｍと上部枠体Ｎのコーナに上下端を回転自在に枢着して起立した四本の支柱３、４、５、６と、隣接する支柱３、５の間及び支柱４、６の間に設けた伸縮自在なブレス１１、１２と、上部フロア８と下部スライドステージ９との間に端部を回転自在に枢着した階段とから構成されているのが好ましい。
【００２０】
同じく、昇降レールＣ１、Ｃ２が前後一対のガイドレール２０、２１からなり、作業構台Ｄが平行四辺形状の折り畳み自在な昇降フレーム２２と、昇降フレーム  ２２に結合した作業足場２６及び手摺２７とからなり、昇降フレーム２２と巻上装置Ｅとの間にワイヤ２７が架設されているのが好ましい。
【００２１】
同じく、上記の目的を達成するため、本発明の他の昇降装置は、前側と後側の各コーナ部に相対向して起立する四本の支柱４０、４１、４２、４３と、前側の支柱４０、４３間と後側支柱４１、４２間にそれぞれ着脱自在に架設した水平な前後の補強材４９、５０と、前側支柱４０、４３の上部と後側支柱４１、４２の上部との間に着脱自在に架設した水平な左右の補強材５１、５２と、前側の支柱４０、４３と後側の支柱４１、４２との間にそれぞれ架設した斜めのブレス５９、５９と、前後の支柱４０、４１間と前後の支柱４３、４２間とにそれぞれ着脱自在に架設した斜めのブレス５５、５５と、上記左右の補強材５１、５２間に着脱自在に架設した足場板４４、４５、４６Ａ〜４６Ｃと、上記足場板４６Ｃの側部に下方に向けて着脱自在に取付けた階段５４とからなるものである。
【００２２】
この場合、前後の各支柱４０、４１、４２、４３が軸方向に沿って複数のフランジＦを備え、このフランジＦを介して各補強材４９、５０の端部が着脱自在に結合されているのが好ましい。
【００２３】
同じく、足場板４６Ａ〜４６Ｃが前後一対の足場板受け材５２Ａ、５２Ｂに着脱自在に結合され、上記足場板受け材５２Ａ、５２Ｂの両端部が左右の補強材５１、５２に着脱自在に結合され、更に上記一方の足場板受け材５２Ｂに足場板４６Ｃに隣接しながら階段の上端部を着脱自在に結合されているのが好ましい。
【００２４】
同じく、後側支柱４１、４２に後方に向けてブラケット７０と杭７１を着脱自在に取付け、ブラケット７０上にはね出し足場板を着脱自在に取付けても良い。
【００２５】
同じく、本発明の他の昇降装置は、単一の昇降装置Ｔがコーナ部の支柱４０、４１、４２、４３を介して上方に複数段着脱自在に結合され、各単一の昇降装置Ｔは前側と後側の各コーナ部に相対向して起立する四本の支柱４０、４１、４２、４３と、前側の支柱４０、４３間と後側支柱４１、４２間にそれぞれ着脱自在に架設した水平な前後の補強材４９、５０と、前側支柱４０、４３の上部と後側支柱４１、４２の上部との間に着脱自在に架設した水平な左右の補強材５１、５２と、前側の支柱４０、４３と後側の支柱４１、４２との間にそれぞれ架設した斜めのブレス５９、５９と、前後の支柱４０、４１間と前後の支柱４３、４２間とにそれぞれ着脱自在に架設した斜めのブレス５５、５５と、上記左右の補強材５１、５２間に着脱自在に架設した足場板４４、４５、４６Ａ〜４６Ｃと、上記足場板４６Ｃの側部に下方に向けて着脱自在に取付けた階段とからなるものである。
【００２６】
同じく、本発明の更に別の昇降装置は、単一の昇降装置Ｔが左右二組装置され、各昇降装置Ｔ、Ｔ間に渡り足場５７、５８、５９が着脱自在に架設され、各昇降装置が前側と後側の各コーナ部に相対向して起立する四本の支柱４０、４１、４２、４３と、前側の支柱４０、４３間と後側支柱４１、４２間にそれぞれ着脱自在に架設した水平な前後の補強材４９、５０と、前側支柱４０、４３の上部と後側支柱４１、４２の上部との間に着脱自在に架設した水平な左右の補強材５１、５２と、前側の支柱４０、４３と後側の支柱４１、４２との間にそれぞれ架設した斜めのブレス５９、５９と、前後の支柱４０、４１間と前後の支柱４３、４２間とにそれぞれ着脱自在に架設した斜めのブレス５５、５５と、上記左右の補強材５１、５２間に着脱自在に架設した足場板４４、４５、４６Ａ〜４６Ｃと、上記足場板４６Ｃの側部に下方に向けて着脱自在に取付た階段とからなるものである。
【００２７】
【発明の実施の形態】
以下、本発明の実施の実施を図に基づいて説明すると、本発明に係る昇降タワーＢが図１乃至図４に示されており、この昇降タワーＢ１、Ｂ２を一対利用した搬送装置が図５、図６に示されており、更に、単一の昇降装置Ａが図７乃至図１２に示されている。
【００２８】
そこで、理解を容易にするため、まず単一の昇降装置を図７乃至図１２に基づいて説明するが、この昇降装置の基本的な構造は、固定の下部フロア７と可動のスライドステージ９（図１１）とを備えた矩形の下部枠体Ｍと、固定の上部フロア８を備えた矩形の上部枠体Ｎと、下部枠体Ｍと上部枠体Ｎのコーナに上下端を回転自在に枢着して起立した四本の支柱３、４、５、６と、隣接する支柱３、５の間及び支柱４、６の間に設けた伸縮自在なブレス１１、１２と、上部フロア８と下部スライドステージ９との間に端部を回転自在に枢着した階段１０とからなるものである。
【００２９】
下部フロア７は、平面Ｔ字状に成形されており、正面の入口側に出入用開閉扉２０と手摺２１、２２を備えている。
【００３０】
上部フロア８は、図示のように平面Ｔ字状でも良く、あるいは前後方向に隙間Ｓがあれば平面Ｌ字状その他の形状であっても良い。
【００３１】
単一の昇降装置を更に具体的に説明すると、この昇降装置は、図７〜図１１に示すように左右一対の下部フレーム１ａ、１ｂと、各下部フレーム１ａ、１ｂの前側端部に枢着されて起立する左右一対の前側支柱３、４と、同じく各下部フレーム１ａ、１ｂの後側端部に枢着されて起立する左右一対の後側支柱５、６と、各右側の前後側支柱３、５と各左側の前後側支柱４、６の上部間に回転自在に枢着された左右一対の上部フレーム２ａ、２ｂとを備えている。
【００３２】
各下部フレーム１ａ、１ｂ間には平面Ｔ字状の下部フロア７が取付けられ、各上部フレーム２ａ、２ｂ間には開口部を有する上部フロア８が取付けられている。
【００３３】
右側前後の支柱３、５間と左側前後の支柱４、６間とには長さ調整自在なブレス１１、１２が枢着されている。
【００３４】
下部フレーム１ａと下部フロア７との間に前後方向スライド自在にスライドステージ９が取付けられており、スライドステージ９と上記上部フロア８の開口部近傍との間に上下端を枢着して架設した階段１０が設けられている。
【００３５】
図１２に示すように、スライドステージ９はフロア９ａと、フロア９ａから起立する手摺９ｂ、９ｃと、フロア９ａの左右両側に設けローラ１３、１３とからなり、各ローラ１３、１３を下部フレーム１ａと下部フロア７に形成した溝レール１４、１５内にスライド自在に嵌合させている。
【００３６】
階段１０は、左右一対の桁材１０ａ、１０ｂと、各桁材１０ａ、１０ｂ間に回転自在に枢着した複数のステップ１０ｃと、各桁材１０ａ、１０ｂの一方又は両方に基端を枢着して起立させた手摺１０ｄとからなり、各桁材１０ａ、１０ｂの上端を上部フロア８に枢着し、下端をスライドステージ９のフロア９ａの両側にそれぞれ枢着させている。
【００３７】
図１１に示すように、下部フロア７と上部フロア８とは前後方向に延びる足場板７ａ、８ａと左右方向に延びる足場板７ｂ、８ｂとで平面Ｔ字状に形成されて当該前後方向に延びる足場板７ｂ、８ｂの右側に開口部Ｓを形成し、階段１０を上記開口部Ｓに対応して配置させている。
【００３８】
即ち、スライドステージ９から階段１０を昇った作業者は開口部Ｓより上部フロア８の足場板８に移動し、更に前後方向に足場板８ｂ上を進むことができる。
【００３９】
上記単一の昇降装置は、図７〜図１０に示すように、起立して使用できる。
【００４０】
この場合、支柱３、４、５、６の基端がベースフレームＶに枢着され、ブレス１１、１２がアウターチューブとインナーチューブとで長さ調整自在に構成され、立方体状に起立した時ブレス１１、１２の孔ａ、ｂにピンを挿入して固定し、このブレス１１、１２の立方体形状がくずれないようにし、この状態で作業現場において、作業者が階段１０を昇降する。
【００４１】
他方、単一の昇降装置を短い法面や傾斜面に沿わせて設置するときは図１０に示すように、一方のブレス１２を伸長し、他方のブレス１１を圧縮して固定し、これにより支柱３、４、５、６が傾斜し、同時に階段１０も法面等に沿って傾斜する。
【００４２】
例えば、図１０のように法面側たる後方に傾斜した時は上部フレーム２ａ、２ｂが右行し、この時階段１０の上端も右行するからその下端がスライドステージ９を引張り込み、このスライドステージ９を点線位置から実線位置までスライドさせる。
【００４３】
次に、図１〜図４に基づいて昇降タワーＢについて説明すると、この昇降タワーＢは上記単一の昇降装置Ａを多段に組付けたものである。
【００４４】
即ち、この昇降タワーＢは単一の折り畳み自在な昇降装置Ａを上方に向けて複数段着脱自在に結合させてなり、各単一の昇降装置Ａは、固定の下部フロア７と可動のスライドステージ９とを備えた矩形の下部枠体Ｍと、固定の上部フロア８を備えた矩形の上部枠体Ｎと、下部枠体Ｍと上部枠体Ｎのコーナに上下端を回転自在に枢着して起立した四本の支柱３、４、５、６と、隣接する支柱３，５の間及び支柱４、６の間に設けた伸縮自在なブレス１１、１２と、上部フロア８と下部スライドステージ９との間に端部を回転自在に枢着した階段１０とからなり、上段側昇降装置Ａの各支柱４、５、６、７の下部を下段側昇降装置Ａの各支柱４、５、６、７の上端に着脱自在に枢着させているものである。
【００４５】
上記の昇降タワーＢは、上記すでに説明した単一の昇降装置Ａを順次上方に結合させたものであるが、下段の昇降装置Ａと上段の昇降装置Ａとの接続は図１３に示すように上下の支柱同志を結合することによって達成する。
【００４６】
例えば、下方の支柱３の上端に上方の支柱３の下部インロー部３ａを差込み、下方の支柱３の上部とインロー部３ａとに対向して穿設した孔３２内にロックピン３０を挿入して行うものである。
【００４７】
この際孔の位置合わせを自動的に行えるように上側の支柱３の下部にストップ用のフランジ３１を設け、このフランジ３１が下方の支柱３の上端に当接した時ピン挿入孔の孔３２が対向するようになっている。
【００４８】
単一の昇降装置Ａの具体的な構造は、すでに上記図７乃至図１２に基づいて説明したので詳細は省略する。
【００４９】
この昇降タワーＢも上記と同じくベースフレームＶ上に回転自在に支持されている。
【００５０】
最上段の昇降装置Ａ上には上記と同じ上部フロア８を設けても良いが、図２、図４に示すスライド自在な張出しフロア８Ａを使用しても良い。
【００５１】
即ち、フロア８Ａは、メインフロア８０とこのメインフロア８０内にスライド自在に挿入したサブフロア８１とからなり、図２に示すように、昇降タワーＢと作業位置Ｐとの間に隙間Ｑがある場合、サブフロア８１を引き出して上端のメインフロア８０から作業位置Ｐに作業者が移動できるようになっている。更に、昇降タワーＢには吊り足場、張出し足場下を設置しても良い。
【００５２】
昇降タワーＢは、ビルディングや法面における作業位置が垂直で高い場合には図１、図２に示すようにベースＶ上に垂直に起立させ、作業者が各階段１０を介して昇降する。
【００５３】
他方、図３に示すように山岳、丘等の法面Ｘにおける諸作業を行う場合は一方の各ブレス１２を伸長し、他方のブレス１１を圧縮して位置決めしながら、昇降タワーＢ全体を法面Ｘに沿って傾斜し、支持脚Ｙで支えながら配置する。この場合には各階段１０も傾斜し、この階段１０に沿って作業者が昇降する。
【００５４】
次に、上記の昇降タワーＢを利用した搬送装置を図５、図６に基づいて説明する。
【００５５】
この搬送装置は、昇降タワーＢを作業者が昇降し、昇降タワーＢに取付けた作業構台Ｂで機械を昇降させ、同時にこの作業構台Ｂ上で機械作業を行うものである。
【００５６】
即ち、この搬送装置は、図５、図６、図１４乃至図１５に示すように、左右一対の折り畳み自在な昇降タワーＢ１、Ｂ２と、左側昇降タワーＢ１の右側面部と右側昇降タワーＢ２の左側面部とにそれぞれ結合した昇降レールＣ１、Ｃ２と、各昇降レールＣ１、Ｃ２にローラＲ、Ｒを介して昇降自在に結合した昇降用作業構台Ｄと、作業構台Ｄを昇降駆動する巻上装置Ｅとからなるものである。
【００５７】
昇降タワーＢ１、Ｂ２は、すでに述べたように、単一の折り畳み自在な昇降装置Ａを上方に向けて複数段着脱自在に結合させて構成され、各単一の昇降装置Ａは固定の上部フロア７と可動のスライドステージ９とを備えた矩形の下部枠体Ｍと、固定の上部フロア８を備えた矩形の上部枠体Ｎと、下部枠体Ｍと上部枠体Ｎのコーナに上下端を回転自在に枢着して起立した四本の支柱３、４、５、６と、隣接する支柱３、５の間及び支柱４、６の間に設けた伸縮自在なブレス１１、１２と、上部フロア８と下部スライドステージ９との間に端部を回転自在に枢着した階段１０とから構成されている。
【００５８】
更に、昇降レールＣ１、Ｃ２が図５、図６に示すように、前後一対のガイドレール２０、２１から構成される。
【００５９】
そして、作業構台Ｄが平行四辺形状の折り畳み自在な昇降フレーム２２と、昇降フレーム２２に結合した作業足場２６及び手摺２７とからなり、昇降フレーム２２と巻上装置Ｅとの間とワイヤ２９が架設されている。
【００６０】
作業足場２６には図１４に示すようにサブフロア３３が出入自在に取付けられている。
【００６１】
左右一対の昇降フレーム２２は図１７に示すようにリンク２３、２４、２５、２６と、リンク２５の上部に取付けた角度調整自在な引掛フレーム２２ａとからなり、引掛フレーム２２ａにワイヤ２９が結合され、昇降フレーム２２、２２間に作業足場２６が搭載され、巻上機Ｅの駆動で昇降フレーム２２が上下動した時作業足場２６も上下動する。
【００６２】
図１８に示すように、フレーム２６にはストップピン３５が設けられ、このストップピン３５を昇降レールＣ１、Ｃ２におけるガイドレール２０に設けた任意の孔３６の孔に差し込むことにより昇降フレーム２２と作業足場２６からなる作業構台Ｄを所定の作業位置に停止させるようになっている。
【００６３】
搬送装置は、昇降タワーＢ１、Ｂ２を垂直にベースＶ上に起立し、サポータ３７、３８、３９で支えておくことにより、作業構台Ｄを垂直に昇降させることができる。
【００６４】
他方、図６のように法面Ｘ上に沿って傾斜させ、この法面Ｘに沿って作業構台Ｄに搭載したアンカーボルト４０等の機械４１で法面Ｘにおける機械作業を行う。
【００６５】
法面に凸凹がある場合には各昇降装置Ａにおけるブレスの角度調整で各昇降装置Ａの一つ一つの角度を変更にして法面Ｘの形状に沿うように全体の形状を調整する。法面Ｘに設置する方法はすでに図３で説明した場合と同じである。
【００６６】
尚、図１９に示すように、単一の昇降装置Ａ又はこれを多段に組付けた昇降タワーＢはブレス１１、１２をはずして折り畳むことができ、折り畳んだ状態でトラックＴで輸送することができる。
【００６７】
次に本発明の他の実施の形態に係る昇降装置を図２０乃至図２９にもとづいて説明する。
【００６８】
先の図７等に示す昇降装置はあらかじめ工場で組立てておき、これを工事現場に輸送した後にクレーン等の作業機械で吊持して工事現場に設置するものであるが、図２０乃至図２９に示す昇降装置Ｔは各部品を作業現場でその都度組立てるものである。
【００６９】
この実施の形態に係る昇降装置はクレーン等の作業機械を山岳等に搬送できず、機械作業が困難な場合にその都度作業者が法面に沿って昇降装置Ｔを組立てて配置させるものである。昇降装置Ｔは図２０に示すように単一のものを法面に沿って多数上方に連結しても良く、図２１乃至図２８に示す単一のものを使用しても良く、あるいは図２９、図３０のように左右に二つ以上配置して使用しても良い。
【００７０】
単一の昇降装置Ｔは図２１〜図２８に示すように前側と後側の各コーナ部に相対向して起立する四本の支柱４０、４１、４２、４３と、前側の支柱４０、４３間と後側支柱４１、４２間にそれぞれ着脱自在に架設した水平な前後の補強材４９、５０と、前側支柱４０、４３の上部と後側支柱４１、４２の上部との間に着脱自在に架設した水平な左右の補強部材５１、５２と、前側の支柱４０、４３と後側の支柱４１、４２との間にそれぞれ架設した斜めのブレス５９、５９と、前後の支柱４０、４１間と前後の支柱４３、４２間とにそれぞれ着脱自在に架設した斜めのブレス５５、５５と、上記左右の補強材５１、５２間に着脱自在と架設した足場板４４、４５、４６Ａ〜４６Ｃと、上記足場板４６Ｃの側部に下方に向けて着脱自在に取付けた階段５４とからなるものである。
【００７１】
上記の各部材はそれぞればらばらに工事現場まで搬送し、この現場で立方体状に組立てるものである。即ち、前後の各支柱４０、４１、４２、４３が軸方向に沿って複数のフランジＦを備え、このフランジＦを介して各補強材４９、５０の端部が着脱自在に結合される。
【００７２】
同じく、足場板４６Ａ〜４６Ｃが前後一対の足場板受け材５２Ａ，５２Ｂに着脱自在に結合され、上記足場板受け材５２Ａ、５２Ｂの両端部が左右の補強材５１、５２に着脱自在に結合され、更に上記一方の足場板受け材５２Ｂに足場板４６Ｃに隣接しながら階段５４の上端部を着脱自在に結合させるものである。
【００７３】
更に、後側支柱４１、４２に後方に向けてブラケット７０と杭７１を着脱自在に取付け、ブラケット７０上にはね出し足場板を着脱自在に取付けるものである。以下更に詳しく説明する。
【００７４】
各支柱４０、４１、４２、４３は上下に連結できるように、上部にソケットＰを有し、下部にソケットＰに差し込むインロー部Ｑを有している（図２２）。図２５に示すように前後の補強材４９、５０はフランジＦに係止されるシュー４９ａ、５０ａを有している。同じく左右の補強材５１、５２は両端にブラケット５１ａ、５２ａを有し、このブラケット５１ａ、５２ａを介してそれぞれ支柱４０、４１、４２、４３の上部にピン結合されている。
【００７５】
左右の補強材５１、５２はそれぞれ側面に足場板取付け用の一対のブラケット６０と金具６１とが設けられ、これらのブラケット６０と金具６１にはそれぞれ前後一対の足場板４４、４５のフック４４ａ、４５ａと足場板受材５２Ａ、５２Ｂの端部が着脱自在に結合されている。
【００７６】
足場板受材５２Ａ、５２Ｂは側部にブラケット６２Ａ、６２Ｂをそれぞれ有しており、一方のブラケット６２Ａ、６２Ｂには前後方向に向いている足場板４６Ａ、４６Ｂ、４６Ｃの端部ブラケット６３が着脱自在に引掛けられ、更に一方の足場板受材５２Ｂにおけるブラケット６２Ｂには階段５４の上部フック５４Ａが着脱自在に引掛けられるようになっている。階段５４の下部は点線Ｘで示すように、下段の昇降装置における足場板４６Ａ，４６Ｂ上に載置されている。
【００７７】
次に図２６にしめすように、支柱４０、４１、４２、４３は二又のブラケットＧ１、Ｇ２を有し、左右のブレス５５の両端部がこれらのブラケットＧ１、Ｇ２に対して斜め方向に向けて回転自在にピン結合させている。同じく、上記したように左右の補強材５１、５２の両端ブラケット５１ａ、５２ａがかく支柱４０、４１、４２、４３の上部に設けたピン孔６２に対して回転自在にピン結合している。
【００７８】
上記のようにブレス５５、５５と補強材５１、５２とが回転自在に軸支されていることにより、支柱４０、４１、４２、４３が垂直に起立でき、又は任意の角度傾斜でき、これにより昇降装置Ｔ全体を工事現場たる法面の傾斜角度に沿って傾斜できるようになっている。階段５４は桁材５４Ｃと桁材５４Ｃに回転自在に結合した多数のステップ５４Ｂとフック５４Ａとを有し、更にこの階段５４にはソケット６３、６４を介して手摺５６の支柱５６ａ、５６ｂが着脱自在に差し込まれるようになっている。
【００７９】
更に左右の補強材５１、５２には複数のソケット６５、６６。６７が起立して設けられ、このソケット６５〜６７には足場板４４、４５、４６Ａ、４６Ｂ、４６Ｃに対応する手摺５７、５８が取付けられている。
【００８０】
上記の単一の昇降装置Ｔは山岳、丘等の法面に対して作業者が手動でその都度組立てて設置する。しかし、法面は長くして傾斜しているので、図１のように下方から上方に向けて順次組立てながらかく支柱４０、４１、４２、４３を介して複数の単一の昇降装置Ｔを接続し、更にこの連結した全体の昇降装置と杭５６を介して法面に固定し、その上で階段５４を介して作業者が昇降しながら諸作業を行うものである。
【００８１】
杭７１はブラケット６５を介して支柱４１、４２に固定されている。杭７１は図２７（ａ）（ｂ）に示すように針状に形成して法面に差し込んでも良く、又は図２７（ｃ）に示すように先端にパッド７１ａを形成して法面に当接して荷重を担持するようにしても良い。
【００８２】
はね出し足場板を支えるブラケット７０は伸縮自在な水平材７０ａと水平材７０ａと支柱４１との間に介在させた伸縮自在な斜材７０ｂとからなり、法面に沿って昇降装置Ｔを傾斜した時水平材７０ａと斜材７０ｂとを伸縮し、常に足場板が水平に保持できるようにしている。
【００８３】
図２９、図３０は本発明の他の実施の形態に係り、これは横方向に二組単一の昇降装置Ｔ、Ｔを配置し、各昇降装置Ｔ、Ｔ間に渡り足場板６７、６８、６９とブレス７３を着脱自在に架設し、更に張出し足場板７４を設けたものである。これは図２０の実施の形態と実質的に同一であるが、法面の面積が大きそさ、作業現場の状況に応じて任意に単一の昇降装置Ｔわ横方向に連設し、各昇降装置Ｔ、Ｔ間を作業者が歩行できるようにしている
【００８４】
【発明の効果】
本発明によれば、次の効果がある。
【００８５】
１）各請求項１乃至１０の発明によれば、単一の昇降装置が各支柱が枢着されていて折り畳み自在に構成され、且つ階段の上部が上部フロアに枢着され下部がスライド自在なスライドステージに枢着されているから、昇降装置、昇降タワー、搬送装置全体が垂直にもなり、傾斜させることもでき、ブレスをはずすことによりコンパクトに折り畳みすることもできる。
【００８６】
２）同じく、傾斜した山岳、丘等の法面に沿って傾斜して配置でき、法面に沿って階段を昇降しながら諸作業を行うことができる。
【００８７】
３）請求項８、９、１０の搬送装置によれば、昇降タワー側の階段を介して法面に沿って作業者が昇降でき、又昇降レールを介して作業構台を法面に沿って昇降させることができ、作業構台に機械その他の設備を機械的に搬送でき、作業性が向上し、スピードアップ化を図れる。
【００８８】
更に、法面の工事現場が山岳、丘の傾斜に沿って上方に延びる場合でも、搬送装置を継ぎ足したり、上方に盛替えることにより大がかりな足場をその都度組付けたり、解体する必要が無く、自由に機械の搬送と、作業者の昇降が可能となり、工事の単縮化が図れ、コストダウンを達成できる。
【００８９】
４）請求項１１乃至１６の発明によれば単一の昇降装置を構成する部材をその都度着脱自在に結合しているので、クレーン等の機械を搬送したり、設置できない工事現場ではその現場で作業者が任意に組立て又は解体できる。
【図面の簡単な説明】
【図１】昇降タワーの正面図である。
【図２】昇降タワーの右側面図である。
【図３】昇降タワーを法面上に傾斜して配置した状態の右側面図である。
【図４】昇降タワーの平面図である。
【図５】搬送装置の正面図である。
【図６】搬送装置を法面上に傾斜して配置した状態の右側面図である。
【図７】単一の昇降装置の右側面図である。
【図８】図７の昇降装置の正面図である。
【図９】同じく背面図である。
【図１０】昇降装置を傾斜させた状態の右側面図である。
【図１１】図１０の昇降装置の平面図である。
【図１２】（ａ）スライドステージの拡大右側面図
（ｂ）同じく縦断正面図である。
【図１３】上下支柱の結合状態を示す一部切欠拡大正面図である。
【図１４】作業構台の平面図である。
【図１５】図１４の正面図である。
【図１６】昇降フレームの右側面図である。
【図１７】昇降フレームが変形した時の右側面図である
【図１８】（ａ）ガイドレールと昇降フレームの一部拡大平面図
（ｂ）ガイドレールと昇降フレームの一部拡大右側面図である。
【図１９】昇降タワーを折り畳んでトラックに搭載した状態の側面図である。
【図２０】他の実施の形態に係る昇降装置の側面図である。
【図２１】単一の昇降装置の平面図である。
【図２２】図２１の右側面図である。
【図２３】図２１の正面図である。
【図２４】昇降装置を斜めに変形した右側面図である。
【図２５】単一の昇降装置の分解平面図である。
【図２６】単一の昇降装置の分解側面図である。
【図２７】（ａ）（ｂ）は杭の平面図、側面図
（ｃ）は他の杭の側面図である。
【図２８】（ａ）はブラケットの側面図である。
（ｂ）は変形したブラケットの側面図である。
【図２９】他の実施の形態に係る昇降装置の平面図である。
【図３０】図２９の正面図である。
【符号の説明】
Ａ  昇降装置
Ｂ  昇降タワー
Ｃ１、Ｃ２  昇降レール
Ｄ  作業構台
Ｅ  巻上機
１ａ、１ｂ  下部フレーム
２ａ，２ｂ  上部フレーム
３，４，５，６  支柱
７  下部フロア
８  上部フロア
９  スライドステージ
１０  階段
１１、１２  ブレス
２０、２１  ガイドレール
２９  ワイヤ
４０、４１、４２、４３  支柱
４９、５０、５１、５２  補強材
５５、５９  ブレス
４４、４５、４６Ａ、４６Ｂ、４６Ｃ  足場板
５４  階段
【図１】
2004251094.tif 000003
【図２】
2004251094.tif 000004
【図３】
2004251094.tif 000005
【図４】
2004251094.tif 000006
【図５】
2004251094.tif 000007
【図６】
2004251094.tif 000008
【図７】
2004251094.tif 000009
【図８】
2004251094.tif 000010
【図９】
2004251094.tif 000011
【図１０】
2004251094.tif 000012
【図１１】
2004251094.tif 000013
【図１２】
2004251094.tif 000014
【図１３】
2004251094.tif 000015
【図１４】
2004251094.tif 000016
【図１５】
2004251094.tif 000017
【図１６】
2004251094.tif 000018
【図１７】
2004251094.tif 000019
【図１８】
2004251094.tif 000020
【図１９】
2004251094.tif 000021
【図２０】
2004251094.tif 000022
【図２１】
2004251094.tif 000023
【図２２】
2004251094.tif 000024
【図２３】
2004251094.tif 000025
【図２４】
2004251094.tif 000026
【図２５】
2004251094.tif 000027
【図２６】
2004251094.tif 000028
【図２７】
2004251094.tif 000029
【図２８】
2004251094.tif 000030
【図２９】
2004251094.tif 000031
【図３０】
2004251094.tif 000032